(57)【要約】  【課題】  円筒状型枠を立ち上がり配管の周囲に同心円状に固定することができるので、配管の立ち上がり部分の周囲に十分な間隙が形成され接続用の金具等の取り付け作業を円滑に行うことができ作業性に優れると共に、円筒状型枠が配管に接触することがないので配管が傷つくのを防ぐことができる立ち上がり配管用型枠固定具を提供することを目的とする。  【解決手段】  本発明の立ち上がり配管用型枠固定具１は、円板状の蓋部２と、蓋部２の外周部に周設され円筒状型枠の上端部に嵌合される型枠上端嵌合部３と、型枠上端嵌合部３と同心円状に蓋部２の下面に立設され配管の外壁又は内壁に嵌合される配管嵌合部６と、を備えた構成を有している。【選択図】  図１
2005097992.tif 000002
【特許請求の範囲】
【請求項１】
円板状の蓋部と、
前記蓋部の外周部に周設され円筒状型枠の上端部に嵌合される型枠上端嵌合部と、
前記型枠上端嵌合部と同心円状に前記蓋部の下面に立設され配管の外壁又は内壁に嵌合される配管嵌合部と、
を備えていることを特徴とする立ち上がり配管用型枠固定具。
【請求項２】
前記型枠上端嵌合部が、前記蓋部の外周縁部に立設され前記円筒状型枠の外壁に嵌合される型枠外嵌壁部と、及び／又は、前記型枠外嵌壁部の内側に立設され前記円筒状型枠の内壁に嵌合される型枠内嵌壁部と、を備えていることを特徴とする請求項１に記載の立ち上がり配管用型枠固定具。
【請求項３】
ゴム等の弾性体により形成され前記蓋部の上面に立設された棒状部を備えていることを特徴とする請求項１又は２に記載の立ち上がり配管用型枠固定具。
【請求項４】
円板状のベース部と、
前記ベース部の外周部に周設され円筒状型枠の上端部又は下端部に嵌合される型枠端部嵌合部と、
前記ベース部の中央部に前記型枠端部嵌合部と同心円状に穿設された配管挿通孔と、
前記配管挿通孔に沿って配設され配管の外壁に嵌合される配管外壁嵌合部と、
を備えていることを特徴とする立ち上がり配管用型枠固定具。
【請求項５】
前記型枠端部嵌合部が、前記ベース部の外周縁部に立設され前記円筒状型枠の外壁に嵌合される型枠外嵌壁部と、及び／又は、前記型枠外嵌壁部の内側に立設され前記円筒状型枠の内壁に嵌合される型枠内嵌壁部と、を備えていることを特徴とする請求項４に記載の立ち上がり配管用型枠固定具。
【請求項６】
円板状の支持部と、
前記支持部の外周部に配設され円筒状型枠の内壁に嵌合される型枠内壁嵌合部と、
前記支持部の中央部に前記型枠嵌合部と同心円状に穿設された配管挿通孔と、
前記配管挿通孔に沿って配設され配管の外壁に嵌合される配管外壁嵌合部と、
を備えていることを特徴とする立ち上がり配管用型枠固定具。
【請求項７】
前記支持部が、前記支持部の外周部から中心部に向かって切り込まれた１乃至複数の切り込み部を備えていることを特徴とする請求項６に記載の立ち上がり配管用型枠固定具。
【発明の詳細な説明】
【技術分野】
【０００１】
本発明は、基礎地盤に埋設された給水用、排水用、給湯用等の配管の立ち上がり部分に円筒状型枠を同心円状に固定する立ち上がり配管用型枠固定具に関するものである。
【背景技術】
【０００２】
従来、建造物等の基礎工事においては基礎地盤上に割りぐり石等の砕石を敷き詰めた後、その上に捨てコンクリートを打設して基礎を施工している。基礎地盤には給水用、排水用、給湯用等の配管が埋設されており、その立ち上がり部分（以下、立ち上がり配管という）が基礎の上に建てられる建造物の給水口や排水口等につながる配管に接続される。このとき、立ち上がり配管が捨てコンクリートに埋没したり、立ち上がり配管の周囲が捨てコンクリートで固められたりすると、立ち上がり配管にエルボやトラップ等の接続用の金具を取り付けるために周囲のコンクリートを削り取るはつり作業が必要になると共に、接続される給水口や排水口につながる配管と中心がずれて接続できなくなることがあった。この問題を解決するために、立ち上がり配管の周囲に紙製で円筒状の型枠を配置して捨てコンクリートと立ち上がり配管との間に間隙を形成するように捨てコンクリートを打設していた。特に、家屋等の土間となる部分に捨てコンクリートを打設する場合、そこに埋設された立ち上がり配管は床面と同じ高さ或いは床面より低くなるため、捨てコンクリートの打設により埋没し易く、円筒状型枠によりその周囲に間隙を形成して立ち上がり配管の先端部を完全に露出させることが必要であった。
しかしながら、円筒状の型枠を立ち上がり配管の周囲に固定せずに置いただけでは、捨てコンクリートの流圧により円筒状の型枠が転倒或いは流動してその位置がずれ、そのまま固まってしまい、立ち上がり配管の周囲に配管を中心として間隙が形成されず、接続用の金具等の取り付け作業が円滑に行えなくなったりはつり作業が必要になったりしていた。そこで、円筒状の型枠を配置する際は、簡易的に立ち上がり配管と円筒状の型枠との間に布や紙等をまるめて詰め込んで位置がずれないようにしていた。
【０００３】
一方、構築物の底部の型枠に円筒状のボイド管を固定して、コンクリートを打設する際のコンクリートの流圧によるボイド管の転倒や流動するために、特許文献１には、「円形のベースと、ベース上に立設されボイド管と嵌合する基礎筒と、ベースに穿設された固定孔と、を備えたボイド管固定具」が開示されている。
【０００４】
【特許文献１】特開２００２−１２９７４５号公報
【発明の開示】
【発明が解決しようとする課題】
【０００５】
しかしながら、上記従来の技術では以下のような課題を有していた。
（１）従来のような立ち上がり配管と円筒状の型枠との間に布や紙等をまるめて詰め込む方法では、布や紙等を詰め込む作業及び作業後にそれを取り出す作業に多大な時間と労力をとられ、作業性に著しく欠けるという課題を有していた。
（２）また、布や紙等を詰め込んでいるだけなので、配置した円筒状の型枠に例えば作業中の作業員の足が接触した場合等に簡単に位置がずれて配管の中心と円筒状の型枠の中心とがずれてしまい、立ち上がり配管の周囲に十分な間隙が形成されず接続用の金具の取り付け作業が煩雑になり作業性が低下するという課題を有していた。
（３）さらに、他の作業中に立ち上がり配管の先端の開口からゴミ等が侵入してしまうため、別途配管の開口にカバーやキャップ等を取り付けなければならず作業工数が増え作業性に欠けるという課題を有していた。
（４）特許文献１のボイド管固定具は、コンクリートの打設後に配管を設置する位置に予め配管の挿通孔を形成することを目的としているため、既に配管が設置されている場合は用いることができず汎用性に欠けるという課題を有していた。なお、このボイド管固定具をスラブ型枠のコンクリートパネル材等に固定する場合には接着材による接着固定作業或いは釘を打ち付けて固定する作業が必要であり作業が煩雑であった。
（５）また、基礎地盤から立ち上がった立ち上がり配管に固定する場合は、基礎地盤上には砕石や割りぐり石が敷設されているので、接着や釘の打ち付け等ができずボイド管固定具を固定することができないという課題を有していた。
【０００６】
本発明は、上記従来の課題を解決するもので、円筒状型枠を立ち上がり配管の周囲に同心円状に固定することができるので、配管の立ち上がり部分の周囲に十分な間隙が形成され接続用の金具等の取り付け作業を円滑に行うことができ作業性に優れると共に、円筒状型枠が配管に接触することがないので配管が傷つくのを防ぐことができる立ち上がり配管用型枠固定具を提供することを目的とする。
【課題を解決するための手段】
【０００７】
上記課題を解決するために本発明の立ち上がり配管用型枠固定具は、以下の構成を有している。
本発明の請求項１に記載の立ち上がり配管用型枠固定具は、円板状の蓋部と、前記蓋部の外周部に周設され円筒状型枠の上端部に嵌合される型枠上端嵌合部と、前記型枠上端嵌合部と同心円状に前記蓋部の下面に立設され配管の外壁又は内壁に嵌合される配管嵌合部と、を備えた構成を有している。
【０００８】
この構成により、以下のような作用を有する。
（１）円筒状型枠を基礎地盤に立設された立ち上がり配管の周囲に配置し、配管嵌合部を立ち上がり配管の外壁又は内壁に嵌合し、型枠上端嵌合部を円筒状型枠の上端部に嵌合し、蓋部を円筒状型枠の上端の開口部に覆設することにより、円筒状型枠を立ち上がり配管の周囲に同心円状に配置して確実に固定することができる。
（２）円筒状型枠により立ち上がり配管がコンクリートに埋没するのを防止でき、立ち上がり配管の周囲に間隙が形成されるので、立ち上がり配管への接続用の金具等の取り付け作業を円滑に行うことができる。
（３）蓋部により円筒状型枠の上端の開口部が覆われるので、配管内及び円筒状型枠内にゴミ等が侵入することを防止できる。また、円筒状型枠の内部へのコンクリートの流れ込みを確実に防止できる。
（４）立ち上がり配管が蓋部により覆われるので、別途配管カバーを取り付ける必要がなく作業性が著しく向上する。また、例えば打設したコンクリート表面を削りで仕上げる作業を行う場合であっても立ち上がり配管が作業の邪魔にならず、また、立ち上がり配管を保護することができる。
（５）配管嵌合部の内径及び型枠上端嵌合部の外径を適宜設定することにより、種々の大きさの立ち上がり配管や円筒状型枠に対応させることができる。
【０００９】
ここで、立ち上がり配管用型枠固定具の材質としては、合成樹脂や紙材、合成ゴム等が用いられる。
型枠上端嵌合部としては、円筒状型枠の上端部の外壁に嵌合するリング状や円筒状の型枠外嵌壁部が蓋部の外周部に沿って形成されたもの、内壁に嵌合する型枠内嵌壁部が蓋部の外周部に沿って形成されたもの、型枠外嵌壁部と型枠内嵌壁部を有するもの、蓋部の外周部に沿って例えば等間隔で複数配設された突状の嵌合部を有し、各々の嵌合部が円筒状型枠の上端部の外壁や内壁に嵌合するもの等が用いられる。
配管嵌合部としては、配管の外壁又は内壁に嵌合する円形や多角形の筒状のもの、配管に挿入され内壁に嵌合する円形や多角形に配設された柱状のもの等が用いられる。また、配管嵌合部の長さは型枠上端嵌合部の長さより大きく形成することが好ましい。これにより、立ち上がり配管用型枠固定具を円筒状型枠の上端部に取り付ける際に、まず、配管嵌合部を立ち上がり配管に挿し込み、そのまま下降させて型枠上端嵌合部を円筒状型枠の上端部に嵌合することができるので、取り付け作業を円滑に行うことができる。
【００１０】
本発明の請求項２に記載の発明は、請求項１に記載の立ち上がり配管用型枠固定具であって、前記型枠上端嵌合部が、前記蓋部の外周縁部に立設され前記円筒状型枠の外壁に嵌合される型枠外嵌壁部と、及び／又は、前記型枠外嵌壁部の内側に立設され前記円筒状型枠の内壁に嵌合される型枠内嵌壁部と、を備えた構成を有している。
【００１１】
この構成により、請求項１の作用に加え、以下のような作用を有する。
（１）型枠外嵌壁部及び／又は型枠内嵌壁部を備えているので、円筒状型枠の上端部の外壁及び／又は内壁に嵌合して固定することができる。特に、型枠外嵌壁部及び型枠内嵌壁部を備えている場合は、型枠外嵌壁部と型枠内嵌壁部の間に形成される溝部に円筒状型枠の上端部を挿し込んで嵌合させ確実に固定することができる。
【００１２】
本発明の請求項３に記載の発明は、請求項１又は２に記載の立ち上がり配管用型枠固定具であって、ゴム等の弾性体により形成され前記蓋部の上面に立設された棒状部を備えた構成を有している。
【００１３】
この構成により、請求項１又は２の作用に加え、以下のような作用を有する。
（１）立ち上がり配管が打設されるコンクリートの上面と同じ高さ或いは上面より低い高さであっても、棒状部が蓋部の上面に立設されているので、立ち上がり配管の位置を視認し易く、作業員の足元の安全を確保できる。
（２）棒状部がゴム等の弾性体により形成されているので、作業員の足等が接触しても破損し難く、また、作業員の足等も傷つけることがないので安全性に優れる。
【００１４】
ここで、棒状部の材質としてはゴム以外に軟質のポリエチレン等の合成樹脂等を用いることもできる。また、棒状部の形状としては３ｃｍ〜１０ｃｍの長さの爪楊枝状や串状のものが用いられる。これにより打設されたコンクリートの厚さを越えて視認することができる。なお、棒状部は蓋部の中央部に穿設された貫通孔に挿し込こんで立設固定してもよく、或いは蓋部の上面の中央部に接着等により立設固定してもよい。
【００１５】
本発明の請求項４に記載の立ち上がり配管用型枠固定具は、円板状のベース部と、前記ベース部の外周部に周設され円筒状型枠の上端部又は下端部に嵌合される型枠端部嵌合部と、前記ベース部の中央部に前記型枠端部嵌合部と同心円状に穿設された配管挿通孔と、前記配管挿通孔に沿って配設され配管の外壁に嵌合される配管外壁嵌合部と、を備えた構成を有している。
【００１６】
この構成により、以下のような作用を有する。
（１）円筒状型枠の上端部に立ち上がり配管用型枠固定具を設ける場合は、円筒状型枠を基礎地盤に立設された立ち上がり配管の周囲に配置し、立ち上がり配管に配管挿通孔を挿通させ配管外壁嵌合部を立ち上がり配管の外壁に嵌合し、型枠端部嵌合部を円筒状型枠の上端部に嵌合することにより、円筒状型枠を立ち上がり配管の周囲に同心円状に固定することができる。
（２）円筒状型枠の下端部に立ち上がり配管用型枠固定具を設ける場合は、ベース部側を下にして立ち上がり配管に配管挿通孔を挿通させ、配管外壁嵌合部を立ち上がり配管の外壁に嵌合し、型枠端部嵌合部に円筒状型枠の下端部を嵌合することにより、円筒状型枠を立ち上がり配管の周囲に同心円状に固定することができる。
（３）立ち上がり配管用型枠固定具を円筒状型枠の上端部及び下端部に設けることにより、円筒状型枠をさらに強固に固定することができる。
（４）円筒状型枠の上端部及び／又は下端部の開口部をベース部により覆うことができるので、円筒状型枠の内部へのコンクリートの流れ込みを確実に防止できる。また、立ち上がり配管がコンクリートに埋没するのを防止でき、立ち上がり配管の周囲に間隙が形成されるので、立ち上がり配管への接続用の金具等の取り付け作業を円滑に行うことができる。
（５）配管外壁嵌合部の内径及び型枠端部嵌合部の外径を適宜設定することにより、種々の大きさの立ち上がり配管や円筒状型枠に対応させることができる。
【００１７】
ここで、立ち上がり配管の上端の開口部には別途配管カバーを設けて内部にゴミ等が侵入しないようにすることができる。また、円筒状型枠の下端部には配管挿通孔を有する立ち上がり配管用型枠固定具を取り付けた場合は、上端部に蓋部を有する立ち上がり配管用型枠固定具を取り付けることにより、その上端の開口部を覆うと共に円筒状型枠の上端部を立ち上がり配管に固定することができる。
【００１８】
本発明の請求項５に記載の発明は、請求項４に記載の立ち上がり配管用型枠固定具であって、前記型枠端部嵌合部が、前記ベース部の外周縁部に立設され前記円筒状型枠の外壁に嵌合される型枠外嵌壁部と、及び／又は、前記型枠外嵌壁部の内側に立設され前記円筒状型枠の内壁に嵌合される型枠内嵌壁部と、を備えた構成を有している。
【００１９】
この構成により、請求項４の作用に加え、以下のような作用を有する。
（１）型枠外嵌壁部及び／又は型枠内嵌壁部を備えているので、円筒状型枠を外壁及び／又は内壁に嵌合して確実に固定することができる。特に、型枠外嵌壁部及び型枠内嵌壁部を備えている場合は、型枠外嵌壁部と型枠内嵌壁部の間に形成される溝部に円筒状型枠の上端部を挿し込んで嵌合させ確実に固定することができる。
【００２０】
本発明の請求項６に記載の立ち上がり配管用型枠固定具は、円板状の支持部と、前記支持部の外周部に配設され円筒状型枠の内壁に嵌合される型枠内壁嵌合部と、前記支持部の中央部に前記型枠嵌合部と同心円状に穿設された配管挿通孔と、前記配管挿通孔に沿って配設され配管の外壁に嵌合される配管外壁嵌合部と、を備えた構成を有している。
【００２１】
この構成により、以下のような作用を有する。
（１）円筒状型枠を基礎地盤に立設された立ち上がり配管の周囲に配置し、配管挿通孔に立ち上がり配管に配管挿通孔を挿通させ配管外壁嵌合部を立ち上がり配管の外壁に嵌合すると共に、型枠内壁嵌合部を円筒状型枠の内壁に嵌合することにより、円筒状型枠を立ち上がり配管の周囲に確実に固定することができる。
（２）円筒状型枠により立ち上がり配管の周囲に間隙が形成されるので、立ち上がり配管への接続用の金具等の取り付け作業を円滑に行うことができる。
（３）立ち上がり配管用型枠固定具が円筒状型枠の内部に装着されるので、繰り返して再利用が可能で省コスト性に優れる。
（４）支持部の外径を円筒状型枠の外径より少し大きく形成すると、円板状の支持部が撓んで型枠内壁嵌合部が円筒状型枠の内壁に強固に嵌合するため、確実に固定することができる。
（５）配管外壁嵌合部の内径及び型枠内壁嵌合部の外径を適宜設定することにより、種々の大きさの立ち上がり配管や円筒状型枠に対応させることができる。
【００２２】
ここで、支持部は円板状の板状或いは円形の枠状等に形成される。なお、支持部の厚さを厚くして強度をもたせた場合は、配管挿通孔を立ち上がり配管に挿入して嵌合させることができるので、配管外壁嵌合部を設けなくてもよい。また、円筒状型枠の内部に立ち上がり配管用型枠固定具を取り付ける場合は、円筒状型枠の上端の開口部には、型枠カバーや蓋部を有する立ち上がり配管用型枠固定具を取り付け、開口部を覆ってコンクリートの流れ込みを防止することができる。また、立ち上がり配管の上端部には別途配管カバーを取り付けることもできる。また、円筒状型枠の内部に立ち上がり配管用型枠固定具を取り付ける場合は、円筒状型枠の内部の上下２箇所等の複数箇所に取り付けることができる。
【００２３】
本発明の請求項７に記載の発明は、請求項６に記載の立ち上がり配管用型枠固定具であって、前記支持部が、前記支持部の外周部から中心部に向かって切り込まれた１乃至複数の切り込み部を備えた構成を有している。
【００２４】
この構成により、請求項６の作用に加え、以下のような作用を有する。
（１）支持部に１乃至複数の切り込み部が形成されているので、支持部が撓み易くなり、型枠内壁嵌合部が円筒状型枠の内壁に強固に嵌合し確実に固定することができる。
（２）支持部が撓み易いので、大きさの異なる種々の円筒状型枠にも対応することができる。
【発明の効果】
【００２５】
以上説明したように本発明によれば、以下のような有利な効果が得られる。
請求項１に記載の発明によれば、
（１）円筒状型枠を立ち上がり配管の周囲に同心円状に配置して確実に固定することができる立ち上がり配管用型枠固定具を提供することができる。
（２）立ち上がり配管がコンクリートに埋没するのを防止できはつり作業等の必要がない作業性に優れた立ち上がり配管用型枠固定具を提供することができる。
（３）立ち上がり配管の周囲に間隙が形成されるので、立ち上がり配管への接続用の金具等の取り付け作業を円滑に行うことができる作業性に優れた立ち上がり配管用型枠固定具を提供することができる。
（４）蓋部により円筒状型枠の上端の開口部が覆われるので、配管内及び円筒状型枠内にゴミ等が侵入することを防止できる立ち上がり配管用型枠固定具を提供することができる。
（５）立ち上がり配管が蓋部により覆われるので、別途配管カバーを取り付ける必要がなく作業性に著しく優れた立ち上がり配管用型枠固定具を提供することができる。
（６）打設したコンクリート表面を削りで仕上げる作業を行う場合であっても立ち上がり配管が作業の邪魔にならず、また、立ち上がり配管を保護することができる作業性及び安全性に優れた立ち上がり配管用型枠固定具を提供することができる。
（７）配管嵌合部の内径及び型枠上端嵌合部の外径を適宜設定することにより、種々の大きさの立ち上がり配管や円筒状型枠に対応させることができる汎用性に優れた立ち上がり配管用型枠固定具を提供することができる。
【００２６】
請求項２に記載の発明によれば、請求項１の効果に加え、
（１）型枠外嵌壁部及び／又は型枠内嵌壁部を備えているので、円筒状型枠の上端部の外壁及び／又は内壁に嵌合して固定することができる立ち上がり配管用型枠固定具を提供することができる。
（２）型枠外嵌壁部及び型枠内嵌壁部を備えている場合は、型枠外嵌壁部と型枠内嵌壁部の間に形成される溝部に円筒状型枠の上端部を挿し込んで嵌合させ確実に固定することができる立ち上がり配管用型枠固定具を提供することができる。
【００２７】
請求項３に記載の発明によれば、請求項１又は２の効果に加え、
（１）棒状部が蓋部の上面に立設されているので、立ち上がり配管の位置を視認し易く、作業員の足元の安全を確保できる安全性に優れた立ち上がり配管用型枠固定具を提供することができる。
（２）棒状部がゴム等の弾性体により形成されているので、作業員の足等が接触しても破損し難く、また、作業員の足等も傷つけることがない安全性に優れた立ち上がり配管用型枠固定具を提供することができる。
【００２８】
請求項４に記載の発明によれば、
（１）円筒状型枠を立ち上がり配管の周囲に同心円状に確実に固定することができる立ち上がり配管用型枠固定具を提供することができる。
（２）立ち上がり配管用型枠固定具を円筒状型枠の上端部及び下端部に設けることにより、円筒状型枠をさらに強固に固定することができる安定性に優れた立ち上がり配管用型枠固定具を提供することができる。
（３）円筒状型枠の上端部及び／又は下端部の開口部をベース部により覆うことができるので、円筒状型枠の内部へのコンクリートの流れ込みを確実に防止でき、立ち上がり配管がコンクリートに埋没するのを防止できはつり作業等の必要がない作業性に優れた立ち上がり配管用型枠固定具を提供することができる。
（４）円筒状型枠により立ち上がり配管がコンクリートに埋没するのを防止でき、立ち上がり配管の周囲に間隙が形成されるので、立ち上がり配管への接続用の金具等の取り付け作業を円滑に行うことができる作業性に優れた立ち上がり配管用型枠固定具を提供することができる。
（５）配管外壁嵌合部の内径及び型枠端部嵌合部の外径を適宜設定することにより、種々の大きさの立ち上がり配管や円筒状型枠に対応させることができる汎用性に優れた立ち上がり配管用型枠固定具を提供することができる。
【００２９】
請求項５に記載の発明によれば、請求項４の効果に加え、
（１）型枠外嵌壁部及び／又は型枠内嵌壁部を備えているので、円筒状型枠を外壁及び／又は内壁に嵌合して確実に固定することができる立ち上がり配管用型枠固定具を提供することができる。
【００３０】
請求項６に記載の発明によれば、
（１）円筒状型枠を立ち上がり配管の周囲に確実に固定することができる立ち上がり配管用型枠固定具を提供することができる。
（２）円筒状型枠により立ち上がり配管の周囲に間隙が形成されるので、立ち上がり配管への接続用の金具等の取り付け作業を円滑に行うことができる作業性に優れた立ち上がり配管用型枠固定具を提供することができる。
（３）立ち上がり配管用型枠固定具が円筒状型枠の内部に装着されるので、繰り返して再利用が可能で省コスト性に優れた立ち上がり配管用型枠固定具を提供することができる。
（４）支持部の外径を円筒状型枠の外径より少し大きく形成すると、円板状の支持部が撓んで型枠内壁嵌合部が円筒状型枠の内壁に強固に嵌合するため、確実に固定することができる安定性に優れた立ち上がり配管用型枠固定具を提供することができる。
（５）配管外壁嵌合部の内径及び型枠内壁嵌合部の外径を適宜設定することにより、種々の大きさの立ち上がり配管や円筒状型枠に対応させることができる汎用性に優れた立ち上がり配管用型枠固定具を提供することができる。
【００３１】
請求項７に記載の発明によれば、請求項６の効果に加え、
（１）支持部に切り込み部が形成されているので、装着時に支持部が撓んで型枠内壁嵌合部が円筒状型枠の内壁に密着して嵌合し確実に固定することができる立ち上がり配管用型枠固定具を提供することができる。
【発明を実施するための最良の形態】
【００３２】
以下、本発明の一実施の形態について、図１乃至図６を用いて説明する。
（実施の形態１）
図１（ａ）は本実施の形態１における立ち上がり配管用型枠固定具の要部斜視図であり、図１（ｂ）は本実施の形態１における立ち上がり配管用型枠固定具の要部断面図であり、図２は本実施の形態１における立ち上がり配管用型枠固定具の使用状態要部断面図である。
図中、１は本実施の形態１における立ち上がり配管用型枠固定具、２は円板状に形成された蓋部、３は蓋部２の外周部に周設された型枠上端嵌合部、４は蓋部２の外周縁部に立設された型枠外嵌壁部、５は蓋部２の型枠外嵌壁部４の内側に立設された型枠内嵌壁部、６は蓋部２の下面の中央部に型枠上端嵌合部３と同心円状に立設された円筒状の配管嵌合部、７は蓋部２の中央部に穿設された貫通孔７ａに挿通され立設されたゴム等の弾性体からなる棒状部、８は基礎地盤、９は基礎地盤８に埋設された配管、１０は基礎地盤８に立設された配管９の立ち上がり部分である立ち上がり配管、１１は基礎地盤８上に敷設された割りぐり石、１２は紙製の円筒状型枠、１３は割りぐり石１１上に打設された捨てコンクリート、１４は捨てコンクリート１３の上面に打設された仕上げ用のモルタルである。
【００３３】
以上のように構成された本実施の形態１における立ち上がり配管用型枠固定具１について、以下その使用方法を図２を用いて説明する。
図２に示すように、まず、円筒状型枠１２を基礎地盤８に立設された立ち上がり配管１０に挿通させ割りぐり石１１上に載置する。次に、立ち上がり配管用型枠固定具１の配管嵌合部６を立ち上がり配管１０の上端部の外壁に嵌め込みながら下降させ、型枠内嵌壁部５を円筒状型枠１２の上端部の内壁に嵌合させ、型枠外嵌壁部４を円筒状型枠１２の上端部の外壁に嵌合させる。これにより、円筒状型枠１２が立ち上がり配管１０の周囲に同心円状に固定される。なお、配管嵌合部６の蓋部２に直交する方向の長さは型枠内嵌壁部５及び型枠外嵌壁部４の長さより大きく形成されているので、配管嵌合部６を立ち上がり配管１０に目視しながら嵌め込み、そのまま下降させて型枠内嵌壁部５及び型枠外嵌壁部４を目視しながら円筒状型枠１２の上端部に嵌合することができるので、取り付け作業を円滑に行うことができる。
この状態で円筒状型枠１２の周囲に捨てコンクリート１３を流し込んで打設し、さらにその上面に仕上げのためのモルタル１４を打設する。
【００３４】
以上のように本実施の形態１における立ち上がり配管用型枠固定具１は構成されているので、以下のような作用を有する。
（１）円筒状型枠１２を基礎地盤８に立設された立ち上がり配管１０に挿通させ割りぐり石１１上に載置し、立ち上がり配管用型枠固定具１の配管嵌合部６を立ち上がり配管１０の上端部の外壁に嵌め込みながら下降させ、型枠内嵌壁部５を円筒状型枠１２の上端部の内壁に嵌合させ、型枠外嵌壁部４を円筒状型枠１２の上端部の外壁に嵌合させることにより、円筒状型枠１２を立ち上がり配管１０の周囲に同心円状に固定することができる。
（２）円筒状型枠１２により立ち上がり配管１０が捨てコンクリート１３に埋没するのを防止でき、立ち上がり配管１０の周囲に間隙が形成されるので、立ち上がり配管１０への接続用の金具等の取り付け作業を円滑に行うことができる。
（３）蓋部２により立ち上がり配管１０の上端の開口部が覆われるので、配管９内及び円筒状型枠１２内にゴミ等が侵入することを防止できると共に、円筒状型枠１２の内部へのコンクリートの流れ込みを確実に防止できる。
（４）立ち上がり配管１０がモルタル１４の上面と同じ高さ或いは上面より低い高さであっても棒状部７が蓋部２の上面に立設されているので、立ち上がり配管１０の位置を視認し易く、作業員の足元の安全を確保できる。また、棒状部７がゴム等の弾性体により形成されているので、作業員の足等が接触しても破損し難く、また、作業員の足等も傷つけることがないので安全性に優れる。
（５）立ち上がり配管１０が蓋部２により覆われるので、別途配管カバーを取り付ける必要がなく作業性が著しく向上する。
【００３５】
（実施の形態２）
図３（ａ）は本実施の形態２における立ち上がり配管用型枠固定具の要部斜視図であり、図３（ｂ）は本実施の形態２における立ち上がり配管用型枠固定具の要部断面図であり、図４は本実施の形態１における立ち上がり配管用型枠固定具の使用状態要部断面図である。
図中、２１，２１′は本実施の形態２における立ち上がり配管用型枠固定具、２２は中央部に後述の配管挿通孔が形成された円板状のベース部、２３はベース部２２の外周部に周設された型枠端部嵌合部の一種である型枠上端嵌合部、２４はベース部２２の外周縁部に立設された型枠外嵌壁部、２５はベース部２２の型枠外嵌壁部２４の内側に立設された型枠内嵌壁部、２６はベース部２２の中央部に型枠上端嵌合部２３と同心円状に穿設された配管挿通孔、２７は配管挿通孔２６に沿って配設された配管外壁嵌合部、２８は立ち上がり配管１０の上端部に覆設された配管カバーである。なお、８は基礎地盤、９は配管、１０は立ち上がり配管、１１は割りぐり石、１２は円筒状型枠、１３は捨てコンクリート、１４はモルタルであり、これらは実施の形態１において説明したものと同様のものであるので同一の符号を付けて説明を省略する。
【００３６】
以上のように構成された本実施の形態２における立ち上がり配管用型枠固定具２１について、以下その使用方法を図４を用いて説明する。
図４に示すように、まず、基礎地盤８上に立設された立ち上がり配管１０に立ち上がり配管用型枠固定具２１の配管挿通孔２６を挿通させ、型枠外嵌壁部２４、型枠内嵌壁部２５が上向きとなるように割りぐり石１１上に載置する。次に円筒状型枠１２を立ち上がり配管１０に挿通させ、その下端部を型枠外嵌壁部２４と型枠内嵌壁部２５の間の溝部に挿入し嵌め込む。次に、立ち上がり配管１０の上端部に立ち上がり配管用型枠固定具２１′の配管挿通孔２６を挿通させると共に、型枠内嵌壁部２５を円筒状型枠１２の上端部の内壁に嵌合し、型枠外嵌壁部２４を円筒状型枠１２の上端部の外壁に嵌合する。これにより、円筒状型枠１２が立ち上がり配管１０の周囲に同心円状に固定される。なお、立ち上がり配管１０の上端部には内部へのゴミ等の侵入を防ぐために予め配管カバー２８を取り付けることが好ましい。
この状態で円筒状型枠１２の周囲に捨てコンクリート１３を打設し、さらにその上面に仕上げのためのモルタル１４を打設する。
なお、本実施の形態２においては、立ち上がり配管１０が捨てコンクリート１３及びモルタル１４の上面よりさらに突出しているので、円筒状型枠１２の上端部に立ち上がり配管用型枠固定具２１′を取り付けたが、これに限られるものではなく、立ち上がり配管１０が突出していない場合は、実施の形態１において説明した立ち上がり配管用型枠固定具１を取り付けてもよい。
【００３７】
以上のように本実施の形態２における立ち上がり配管用型枠固定具２１は構成されているので、以下のような作用を有する。
（１）立ち上がり配管用型枠固定具２１をベース部２２側を下向きにして立ち上がり配管１０に配管挿通孔２６を挿通させ、配管外壁嵌合部２７を立ち上がり配管１０の外壁に嵌合すると共に、円筒状型枠１２を立ち上がり配管１０に挿通させ、その下端部を型枠外嵌壁部２４と型枠内嵌壁部２５の間の溝部に嵌め込むことにより、円筒状型枠１２の下端部を立ち上がり配管１０の周囲に同心円状に固定することができる。
（２）さらに、立ち上がり配管用型枠固定具２１′をベース部２２側を上向きにして立ち上がり配管１０に配管挿通孔２６を挿通させ、型枠内嵌壁部２５を円筒状型枠１２の上端部の内壁に嵌合し、型枠外嵌壁部２４を円筒状型枠１２の上端部の外壁に嵌合することにより、円筒状型枠１２の上端部を立ち上がり配管１０の周囲に同心円状に固定することができる。
（３）ベース部２２に穿設された配管挿通孔２６を備えているので、立ち上がり配管１０が捨てコンクリート１３及びモルタル１４の上面よりさらに突出している場合であっても、円筒状型枠１２の上端の開口部をベース部２２により覆うことができ、円筒状型枠１２の内部への捨てコンクリート１３の流れ込みを確実に防止できる。
（４）円筒状型枠１２により立ち上がり配管１０が捨てコンクリート１３に埋没するのを防止でき、立ち上がり配管１０の周囲に間隙が形成されるので、立ち上がり配管１０への接続用の金具等の取り付け作業を円滑に行うことができる。
【００３８】
（実施の形態３）
図５は本実施の形態３における立ち上がり配管用型枠固定具の要部斜視図であり、図６は本実施の形態３における立ち上がり配管用型枠固定具の使用状態要部断面図である。
図中、３１，３１′は本実施の形態３における立ち上がり配管用型枠固定具、３２は円板状の枠状に形成された支持部、３３は支持部３２の外周部に配設された型枠内壁嵌合部、３４は支持部３２の中央部に穿設された配管挿通孔、３５は配管挿通孔３４に沿って配設された配管外壁嵌合部、３６は支持部３２の外周部から中心部に向かって切り込まれた切り込み部、３７は立ち上がり配管１０′の先端部に覆設された配管カバー、３８は円筒状型枠１２の上端部に覆設された型枠カバーである。なお、８は基礎地盤、９′は配管、１０′は立ち上がり配管、１１は割りぐり石、１２は円筒状型枠、１３は捨てコンクリート、１４はモルタルであり、これらは実施の形態１において説明したものと同様のものであるので同一の符号を付けて説明を省略する。
【００３９】
以上のように構成された本実施の形態３における立ち上がり配管用型枠固定具３１について、以下その使用方法を図６を用いて説明する。
図６に示すように、まず、円筒状型枠１２を基礎地盤８に立設された立ち上がり配管１０′に挿通させ割りぐり石１１上に載置する。次に、立ち上がり配管１０′に立ち上がり配管用型枠固定具３１の配管挿通孔３４を挿通させ、配管外壁嵌合部３５を立ち上がり配管１０′の外壁に嵌合し、さらに支持部３２を撓ませながら円筒状型枠１２の内部に押し込んで、型枠内壁嵌合部３３を円筒状型枠１２の内壁に嵌合する。さらに、立ち上がり配管用型枠固定具３１の上方に、同様にして立ち上がり配管用型枠固定具３１′を取り付ける。これにより、円筒状型枠１２が立ち上がり配管１０′の周囲に同心円状に固定される。なお、支持部３２の外径は円筒状型枠１２の外径より少し大きく形成されているので、支持部３２が撓んで型枠内壁嵌合部３３を円筒状型枠１２の内壁に強固に嵌合させることができる。
また、立ち上がり配管１０′の上端部には内部へのゴミ等の侵入を防ぐために予め配管カバー３７を取り付けることが好ましい。また、円筒状型枠１２の上端の開口部にはゴミ等の侵入や捨てコンクリート１３の流れ込みを防止するために型枠カバー３８を取り付けることが好ましい。
この状態で円筒状型枠１２の周囲に捨てコンクリート１３を打設し、さらにその上面に仕上げのためのモルタル１４を打設する。
【００４０】
以上のように本実施の形態３における立ち上がり配管用型枠固定具３１は構成されているので、以下のような作用を有する。
（１）配管挿通孔３４を立ち上がり配管１０′に挿通させ、配管外壁嵌合部３５を立ち上がり配管１０の外壁に嵌合し、さらに支持部３２を撓ませながら円筒状型枠１２の内部に押し込んで型枠内壁嵌合部３３を円筒状型枠１２の内壁に嵌合することにより、円筒状型枠１２を確実に固定することができる。
（２）円筒状型枠３１，３１′により立ち上がり配管１０の周囲に間隙が形成されるので、立ち上がり配管１０への接続用の金具等の取り付け作業を円滑に行うことができる。
（３）立ち上がり配管用型枠固定具３１，３１′が円筒状型枠１２の内部に装着されるので、繰り返して再利用が可能で省コスト性に優れる。
（４）支持部３２に複数の切り込み部３６が形成されているので、支持部３２が撓み易くなり、支持部３２が撓んで型枠内壁嵌合部３３が円筒状型枠１２の内壁に密着して嵌合し確実に固定することができる。
【産業上の利用可能性】
【００４１】
以上説明したように、本発明は、基礎地盤に埋設された給水用、排水用、給湯用等の配管の立ち上がり部分に円筒状型枠を同心円状に固定する立ち上がり配管用型枠固定具に関し、本発明によれば、配管の立ち上がり部分の周囲に十分な間隙が形成され接続用の金具等の取り付け作業を円滑に行うことができ作業性に優れると共に、円筒状型枠が配管に接触することがないので配管が傷つくのを防ぐことができる立ち上がり配管用型枠固定具を提供することができる。
【図面の簡単な説明】
【００４２】
【図１】（ａ）実施の形態１における立ち上がり配管用型枠固定具の要部斜視図（ｂ）実施の形態１における立ち上がり配管用型枠固定具の要部断面図
【図２】実施の形態１における立ち上がり配管用型枠固定具の使用状態要部断面図
【図３】（ａ）実施の形態２における立ち上がり配管用型枠固定具の要部斜視図（ｂ）実施の形態２における立ち上がり配管用型枠固定具の要部断面図
【図４】実施の形態２における立ち上がり配管用型枠固定具の使用状態要部断面図
【図５】実施の形態３における立ち上がり配管用型枠固定具の要部斜視図
【図６】実施の形態３における立ち上がり配管用型枠固定具の使用状態要部断面図
【符号の説明】
【００４３】
１  実施の形態１における立ち上がり配管用型枠固定具
２  蓋部
３  型枠上端嵌合部
４  型枠外嵌壁部
５  型枠内嵌壁部
６  配管嵌合部
７  棒状部
８  基礎地盤
９，９′  配管
１０，１０′  立ち上がり配管
１１  割りぐり石
１２  円筒状型枠
１３  捨てコンクリート
１４  モルタル
２１，２１′  実施の形態２における立ち上がり配管用型枠固定具
２２  ベース部
２３  型枠上端嵌合部
２４  型枠外嵌壁部
２５  型枠内嵌壁部
２６  配管挿通孔
２７  配管外壁嵌合部
２８  配管カバー
３１，３１′  実施の形態３における立ち上がり配管用型枠固定具
３２  支持部
３３  型枠内壁嵌合部
３４  配管挿通孔
３５  配管外壁嵌合部
３６  切り込み部
３７  配管カバー
３８  型枠カバー
【図１】
2005097992.tif 000003
【図２】
2005097992.tif 000004
【図３】
2005097992.tif 000005
【図４】
2005097992.tif 000006
【図５】
2005097992.tif 000007
【図６】
2005097992.tif 000008